【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】  基準プロトタイプの複数の位相パラメータを生成し、
プロトタイプの複数の位相パラメータを発生させ、
プロトタイプの位相パラメータを基準プロトタイプの位相パラメータと複数の周波数帯域において相関させるステップを含んでおり、前記相関させるステップはプロトタイプに対する複数の最適円回転値を発生させるスピーチコーダにおけるフレームのプロトタイプを処理する方法。
【請求項２】  生成するステップは、基準プロトタイプに対する離散フーリエ級数係数を計算し、その離散フーリエ級数係数をその基準プロトタイプに対する振幅ベクトルおよび位相ベクトルに分解するステップを含んでおり、前記発生させるステップは、プロトタイプに対する離散フーリエ級数係数を計算し、その離散フーリエ級数係数をそのプロトタイプに対する振幅ベクトルおよび位相ベクトルに分解するステップを含んでいる請求項１記載の方法。
【請求項３】  相関させるステップを行うべき周波数帯域を識別するステップをさらに含んでいる請求項１記載の方法。
【請求項４】  フレームはスピーチフレームである請求項１記載の方法。
【請求項５】  フレームは線形予測剰余のフレームである請求項１記載の方法。
【請求項６】  相関させるステップは、プロトタイプに対する複数の最適線形位相シフト値を発生させる請求項１記載の方法。
【請求項７】  線形位相シフト値を量子化し、プロトタイプに対する複数の振幅パラメータを量子化するステップをさらに含んでいる請求項６記載の方法。
【請求項８】  円回転値を量子化し、プロトタイプに対する複数の振幅パラメータを量子化するステップをさらに含んでいる請求項１記載の方法。
【請求項９】  基準プロトタイプの複数の位相パラメータを生成し、
プロトタイプに関連した複数の線形位相シフト値を発生させ、
その位相パラメータとその線形位相シフト値から位相ベクトルを複数の周波数帯域にわたって構成するステップを含んでいるスピーチコーダにおけるフレームのプロトタイプの処理方法。
【請求項１０】  前記生成するステップは、基準プロトタイプに対する離散フーリエ級数係数を計算し、その離散フーリエ級数係数をその基準プロトタイプに対する振幅ベクトルおよび位相ベクトルに分解するステップを含んでいる請求項９記載の方法。
【請求項１１】  構成するステップを行うべき周波数帯域を識別するステップをさらに含んでいる請求項９記載の方法。
【請求項１２】  フレームはスピーチフレームである請求項９記載の方法。
【請求項１３】  フレームは線形予測剰余のフレームである請求項９記載の方法。
【請求項１４】  前記発生させるステップにおいて、複数の線形位相シフト値を発生させるためにプロトタイプに関連した複数の量子化された位相パラメータを量子化される前の形態に戻す請求項９記載の方法。
【請求項１５】  複数の量子化される前の形態に戻された振幅パラメータを生成するためにプロトタイプに関連した複数の振幅量子化パラメータを量子化される前の形態に戻すステップをさらに含んでおり、識別するステップにおいて、帯域は複数の量子化される前の形態に戻された振幅パラメータに基づいて識別される請求項１１記載の方法。
【請求項１６】  構成された位相ベクトルをプロトタイプと関連した複数の振幅パラメータと組合せて組合せベクトルを生成し、その組合せベクトルの逆離散フーリエ級数を計算してプロトタイプの再構成されたバージョンを生成するステップをさらに含んでいる請求項９記載の方法。
【請求項１７】  プロトタイプに関連した複数の円回転値を生成し、
複数のバンドパス波形を複数の周波数帯域において発生させ、その複数のバンドパス波形が基準プロトタイプの複数の位相パラメータと関連され、
複数のバンドパス波形を複数の円回転値に基づいて修正するステップを含んでいるスピーチコーダにおけるフレームのプロトタイプの処理方法。
【請求項１８】  発生させるステップを行うべき周波数帯域を識別するステップをさらに含んでいる請求項１７記載の方法。
【請求項１９】  フレームはスピーチフレームである請求項１７記載の方法。
【請求項２０】  フレームは線形予測剰余のフレームである請求項１７記載の方法。
【請求項２１】  生成するステップにおいて、複数の円回転値を発生させるためにプロトタイプに関連した複数の量子化された位相パラメータが量子化される前の形態に戻される請求項１７記載の方法。
【請求項２２】  複数の量子化される前の形態に戻された振幅パラメータを生成するためにプロトタイプに関連した複数の振幅量子化パラメータを量子化される前の形態に戻すステップをさらに含んでおり、識別するステップにおいて、帯域は複数の量子化される前の形態に戻された振幅パラメータに基づいて識別される請求項１８記載の方法。
【請求項２３】  前記発生させるステップは、基準プロトタイプに対する離散フーリエ級数係数を計算し、その離散フーリエ級数係数をその基準プロトタイプに対する振幅ベクトルおよび位相ベクトルに分解し、位相ベクトルを複数の量子化される前の形態に戻された振幅パラメータと組合せ、その位相ベクトルの逆離散フーリエ級数を計算して複数のバンドパス波形を発生させるステップを含んでいる請求項２２記載の方法。
【請求項２４】  複数の修正されたバンドパス波形を合計してプロトタイプの再構成されたバージョンを生成するステップをさらに含んでいる請求項１７記載の方法。
【請求項２５】  フレームの基準プロトタイプの複数の位相パラメータを生成する手段と、
現在のフレームの現在のプロトタイプの複数の位相パラメータを発生させる手段と、
現在のプロトタイプの位相パラメータを基準プロトタイプの位相パラメータと複数の周波数帯域において相関させる手段とを具備し、前記相関させる手段は現在のプロトタイプに対する複数の最適円回転値を発生させるスピーチコーダ。
【請求項２６】  前記生成する手段は、基準プロトタイプに対する離散フーリエ級数係数を計算する手段と、その離散フーリエ級数係数をその基準プロトタイプに対する振幅ベクトルおよび位相ベクトルに分解する手段とを含んでおり、発生させる手段は、現在のプロトタイプに対する離散フーリエ級数係数を計算する手段と、その離散フーリエ級数係数をその現在のプロトタイプに対する振幅ベクトルおよび位相ベクトルに分解する手段とを備えている請求項２５記載のスピーチコーダ。
【請求項２７】  複数の周波数帯域を識別する手段をさらに含んでいる請求項２５記載のスピーチコーダ。
【請求項２８】  現在のフレームはスピーチフレームである請求項２５記載のスピーチコーダ。
【請求項２９】  現在のフレームは線形予測剰余のフレームである請求項２５記載のスピーチコーダ。
【請求項３０】  前記相関させる手段は、現在のプロトタイプに対する複数の最適線形位相シフト値を発生させる請求項２５記載のスピーチコーダ。
【請求項３１】  線形位相シフト値を量子化する手段と、現在のプロトタイプに対する複数の振幅パラメータを量子化する手段とをさらに含んでいる請求項３０記載のスピーチコーダ。
【請求項３２】  円回転値を量子化する手段と、現在のプロトタイプに対する複数の振幅パラメータを量子化する手段とをさらに含んでいる請求項２５記載のスピーチコーダ。
【請求項３３】  スピーチコーダは、無線通信システムの加入者装置内に設けられている請求項２５記載のスピーチコーダ。
【請求項３４】  フレームの基準プロトタイプの複数の位相パラメータを生成する手段と、
現在のフレームの現在のプロトタイプに関連した複数の線形位相シフト値を発生させる手段と、
位相パラメータと線形位相シフト値から位相ベクトルを複数の周波数帯域にわたって構成する手段とを具備しているスピーチコーダ。
【請求項３５】  前記生成する手段は、基準プロトタイプに対する離散フーリエ級数係数を計算する手段と、その離散フーリエ級数係数をその基準プロトタイプに対する振幅ベクトルおよび位相ベクトルに分解する手段とを具備している請求項３４記載のスピーチコーダ。
【請求項３６】  複数の周波数帯域を識別する手段をさらに具備している請求項３４記載のスピーチコーダ。
【請求項３７】  現在のフレームはスピーチフレームである請求項３４記載のスピーチコーダ。
【請求項３８】  現在のフレームは線形予測剰余のフレームである請求項３４記載のスピーチコーダ。
【請求項３９】  前記発生させる手段は、複数の線形位相シフト値を発生させるために現在のプロトタイプに関連した複数の量子化された位相パラメータを量子化される前の形態に戻す手段を含んでいる請求項３４記載のスピーチコーダ。
【請求項４０】  複数の量子化される前の形態に戻された振幅パラメータを生成するために現在のプロトタイプに関連した複数の振幅量子化パラメータを量子化される前の形態に戻す手段をさらに含んでおり、識別する手段は、複数の量子化される前の形態に戻された振幅パラメータに基づいて複数の帯域を識別する手段を含んでいる請求項３６記載のスピーチコーダ。
【請求項４１】  構成された位相ベクトルを現在のプロトタイプと関連した複数の振幅パラメータと組合せて組合せベクトルを生成する手段と、その組合せベクトルの逆離散フーリエ級数を計算して現在のプロトタイプの再構成されたバージョンを生成する手段とをさらに含んでいる請求項３４記載のスピーチコーダ。
【請求項４２】  スピーチコーダは、無線通信システムの加入者装置内に設けられている請求項３４記載のスピーチコーダ。
【請求項４３】  現在のフレームの現在のプロトタイプに関連した複数の円回転値を生成する手段と、
フレームの基準プロトタイプの複数の位相パラメータと関連した複数のバンドパス波形を複数の周波数帯域で発生させる手段と、
複数のバンドパス波形を複数の円回転値に基づいて修正する手段とを具備しているスピーチコーダ。
【請求項４４】  複数の周波数帯域を識別する手段をさらに含んでいる請求項４３記載のスピーチコーダ。
【請求項４５】  現在のフレームはスピーチフレームである請求項４３記載のスピーチコーダ。
【請求項４６】  現在のフレームは線形予測剰余のフレームである請求項４３記載のスピーチコーダ。
【請求項４７】  前記生成する手段は、複数の円回転値を発生させるために現在のプロトタイプに関連した複数の量子化された位相パラメータを量子化される前の形態に戻す手段を含んでいる請求項４３記載のスピーチコーダ。
【請求項４８】  複数の量子化される前の形態に戻された振幅パラメータを生成するために現在のプロトタイプに関連した複数の振幅量子化パラメータを量子化される前の形態に戻す手段をさらに含んでおり、識別する手段は、複数の量子化される前の形態に戻された振幅パラメータに基づいて帯域を識別する手段を含んでいる請求項４４記載のスピーチコーダ。
【請求項４９】  前記発生させる手段は、基準プロトタイプに対する離散フーリエ級数係数を計算する手段と、その離散フーリエ級数係数をその基準プロトタイプに対する振幅ベクトルおよび位相ベクトルに分解する手段と、位相ベクトルを複数の量子化される前の形態に戻された振幅パラメータと組合せる手段と、その位相ベクトルの逆離散フーリエ級数を計算して複数のバンドパス波形を発生させる手段とを含んでいる請求項４８記載のスピーチコーダ。
【請求項５０】  複数の修正されたバンドパス波形を合計して現在のプロトタイプの再構成されたバージョンを生成する手段をさらに含んでいる請求項４３記載のスピーチコーダ。
【請求項５１】  スピーチコーダは、無線通信システムの加入者装置内に設けられている請求項４３記載のスピーチコーダ。
【請求項５２】  スピーチコーダによって処理されている現在のフレームから現在のプロトタイプを抽出するように構成されたプロトタイプ抽出装置と、
プロトタイプ抽出装置に結合され、フレームの基準プロトタイプの複数の位相パラメータを生成し、現在のプロトタイプの複数の位相パラメータを発生させ、現在のプロトタイプの位相パラメータを基準プロトタイプの位相パラメータと複数の周波数帯域において相関させるように構成され、さらに現在のプロトタイプに対する複数の最適円回転値を発生させるプロトタイプ量子化装置とを具備しているスピーチコーダ。
【請求項５３】  プロトタイプ量子化装置はさらに、基準プロトタイプに対する離散フーリエ級数係数を計算し、その離散フーリエ級数係数をその基準プロトタイプに対する振幅ベクトルおよび位相ベクトルに分解し、現在のプロトタイプに対する離散フーリエ級数係数を計算し、その離散フーリエ級数係数をその現在のプロトタイプに対する振幅ベクトルおよび位相ベクトルに分解するように構成されている請求項５２記載のスピーチコーダ。
【請求項５４】  プロトタイプ量子化装置はさらに、複数の周波数帯域を識別するように構成されている請求項５２記載のスピーチコーダ。
【請求項５５】  現在のフレームはスピーチフレームである請求項５２記載のスピーチコーダ。
【請求項５６】  現在のフレームは線形予測剰余のフレームである請求項５２記載のスピーチコーダ。
【請求項５７】  プロトタイプ量子化装置はさらに、現在のプロトタイプに対する複数の最適線形位相シフト値を発生させるように構成されている請求項５２記載のスピーチコーダ。
【請求項５８】  プロトタイプ量子化装置はさらに、線形位相シフト値を量子化し、現在のプロトタイプに対する複数の振幅パラメータを量子化するように構成されている請求項５７記載のスピーチコーダ。
【請求項５９】  プロトタイプ量子化装置はさらに、円回転値を量子化し、現在のプロトタイプに対する複数の振幅パラメータを量子化するように構成されている請求項５２記載のスピーチコーダ。
【請求項６０】  スピーチコーダは、無線通信システムの加入者装置内に設けられている請求項５２記載のスピーチコーダ。
【請求項６１】  スピーチコーダによって処理されている現在のフレームから現在のプロトタイプを抽出するように構成されたプロトタイプ抽出装置と、
プロトタイプ抽出装置に結合され、フレームの基準プロトタイプの複数の位相パラメータを生成し、現在のプロトタイプに関連した複数の線形位相シフト値を発生させ、その位相パラメータとその線形位相シフト値から位相ベクトルを複数の周波数帯域にわたって形成するように構成され、さらに、複数の線形位相シフト値を発生するために現在のプロトタイプに関連される複数の量子化された位相パラメータを量子化される前の形態に戻すように構成されているプロトタイプ量子化装置とを具備しているスピーチコーダ。
【請求項６２】  プロトタイプ量子化装置はさらに、基準プロトタイプに対する離散フーリエ級数係数を計算し、その離散フーリエ級数係数をその基準プロトタイプに対する振幅ベクトルおよび位相ベクトルに分解するように構成されている請求項６１記載のスピーチコーダ。
【請求項６３】  プロトタイプ量子化装置はさらに、複数の周波数帯域を識別するように構成されている請求項６１記載のスピーチコーダ。
【請求項６４】  現在のフレームはスピーチフレームである請求項６１記載のスピーチコーダ。
【請求項６５】  現在のフレームは線形予測剰余のフレームである請求項６１記載のスピーチコーダ。
【請求項６６】  プロトタイプ量子化装置はさらに、複数の量子化される前の形態に戻された振幅パラメータを生成するために現在のプロトタイプに関連した複数の振幅量子化パラメータをさらに量子化される前の形態に戻し、複数の量子化される前の形態に戻された振幅パラメータに基づいて複数の帯域を識別するように構成されている請求項６３記載のスピーチコーダ。
【請求項６７】  プロトタイプ量子化装置はさらに、位相ベクトルを現在のプロトタイプと関連した複数の振幅パラメータと組合せて組合せベクトルを生成し、その組合せベクトルの逆離散フーリエ級数を計算して現在のプロトタイプの再構成されたバージョンを生成するように構成されている請求項６１記載のスピーチコーダ。
【請求項６８】  スピーチコーダは、無線通信システムの加入者装置内に設けられている請求項６１記載のスピーチコーダ。
【請求項６９】  スピーチコーダによって処理されている現在のフレームから現在のプロトタイプを抽出するように構成されたプロトタイプ抽出装置と、
プロトタイプ抽出装置に結合され、現在のプロトタイプに関連した複数の円回転値を生成し、フレームの基準プロトタイプの複数の位相パラメータに関連している複数のバンドパス波形を発生させ、複数の円回転値に基づいて複数のバンドパス波形を修正するように構成されているプロトタイプ量子化装置とを具備しているスピーチコーダ。
【請求項７０】  プロトタイプ量子化装置はさらに、複数の周波数帯域を識別するように構成されている請求項６９記載のスピーチコーダ。
【請求項７１】  現在のフレームはスピーチフレームである請求項６９記載のスピーチコーダ。
【請求項７２】  現在のフレームは線形予測剰余のフレームである請求項６９記載のスピーチコーダ。
【請求項７３】  プロトタイプ量子化装置はさらに、複数の円回転値を発生させるために現在のプロトタイプに関連した複数の量子化された位相パラメータを量子化される前の形態に戻すように構成されている請求項６９記載のスピーチコーダ。
【請求項７４】  プロトタイプ量子化装置はさらに、複数の量子化される前の形態に戻された振幅パラメータを生成するために現在のプロトタイプに関連した複数の振幅量子化パラメータを量子化される前の形態に戻し、複数の量子化される前の形態に戻された振幅パラメータに基づいて周波数帯域を識別するように構成されている請求項７０記載のスピーチコーダ。
【請求項７５】  プロトタイプ量子化装置はさらに、基準プロトタイプに対する離散フーリエ級数係数を計算し、その離散フーリエ級数係数をその基準プロトタイプに対する振幅ベクトルおよび位相ベクトルに分解し、位相ベクトルを複数の量子化される前の形態に戻された振幅パラメータと組合せ、その位相ベクトルの逆離散フーリエ級数を計算して複数のバンドパス波形を発生させるように構成されている請求項７４記載のスピーチコーダ。
【請求項７６】  プロトタイプ量子化装置はさらに、複数の修正されたバンドパス波形を合計して現在のプロトタイプの再構成されたバージョンを生成するように構成されている請求項６９記載のスピーチコーダ。
【請求項７７】  スピーチコーダは、無線通信システムの加入者装置内に設けられている請求項６９記載のスピーチコーダ。